(57)【要約】【課題】操作感触としてのざらつき感の解消と、薄型化とを実現できるスライド型可変抵抗器の提供。【解決手段】ケース１内に長孔３の長手方向へスライド可能に設けられる移動部材２４と、この移動部材２４に設けられる摺動子４７と、この摺動子４７が摺動する抵抗体５１と集電体５０が設けられケース１に対向配置された絶縁基板４９と、移動部材２４に設けられ長孔３から突出するレバー１８と、ケース１の板部２と移動部材２４の間に設けられ移動部材２４とともにスライドする摺動部材１２とを備える。摺動部材１２と板部２の間に、グリースを設ける。摺動部材１２に、貫通孔からなりグリースを保持するグリース溜め部１４，１５を形成した。【選択図】図１
2006173467.tif 000002
【特許請求の範囲】
【請求項１】
長孔が形成された板部を有するケースと、このケース内において前記長孔の長手方向へスライド可能に設けられる移動部材と、この移動部材に設けられる摺動子と、この摺動子が摺動する抵抗体および集電体が設けられ前記移動部材を介して前記ケースに対向配置される絶縁基板と、前記移動部材に設けられ前記長孔から突出するレバーと、前記ケースの板部と前記移動部材との間に配置され前記移動部材とともにスライドする摺動部材と、前記移動部材側から弾性力により前記摺動部材を前記板部側に付勢する付勢手段とを備え、
前記摺動部材と前記板部との間に、グリースを設け、
前記摺動部材に、前記グリースを保持するグリース溜め部を形成したことを特徴とするスライド型可変抵抗器。
【請求項２】
請求項１記載の発明において、
前記グリース溜め部を、前記長孔の短手方向における前記レバーの両側方に位置する前記摺動部材に設けたことを特徴とするスライド型可変抵抗器。
【請求項３】
請求項１または２記載の発明において、
前記グリース溜め部が、前記摺動部材に形成された貫通孔からなることを特徴とするスライド型可変抵抗器。
【請求項４】
請求項３記載の発明において、
前記貫通孔が、前記長孔の長手方向に沿って延びる長孔からなることを特徴とするスライド型可変抵抗器。
【請求項５】
請求項３記載の発明において、
前記貫通孔を、前記長孔の長手方向に沿って複数並べたことを特徴とするスライド型可変抵抗器。
【請求項６】
請求項１〜５いずれか１項に記載の発明において、
前記付勢手段が、前記移動部材に形成された弾性変形可能な弾性腕部からなることを特徴とするスライド型可変抵抗器。
【請求項７】
請求項６記載の発明において、
前記弾性腕部を複数形成し、前記グリース溜め部の外側において前記摺動部材に弾接させたことを特徴とするスライド型可変抵抗器。
【発明の詳細な説明】
【技術分野】
【０００１】
本発明は、レバーをスライドさせて電気抵抗を変化させるスライド型可変抵抗器に関する。
【背景技術】
【０００２】
従来のスライド型可変抵抗器には、特許文献１に示される従来技術がある。この従来技術は、長孔が形成される板部を有するケースを備えている。このケース内には、板部の長孔の長手方向へスライド可能な移動部材（スライダ）が設けられている。この移動部材には、ケースの長孔から突出するレバーと、摺動子が設けられている。ケースには、抵抗体および集電体が設けられた絶縁基板が取り付けられており、摺動子が移動部材のスライドに伴って抵抗体および集電体上を摺動するようになっている。
【０００３】
また、ケースの板部と移動部材との間には、金属製の摩擦板と、移動部材とともにスライド可能に設けられる合成樹脂製の摺動板と、この摺動板に接触して弾性力によりこの摺動板をケースの板部側に付勢する付勢手段である板ばねとが重ねて配置されている。
【特許文献１】特公平６−６９００１号公報
【発明の開示】
【発明が解決しようとする課題】
【０００４】
前述した従来技術は、ケースの板部と移動部材との間に、ケースの板部の表面粗さに起因する操作感触としてのざらつき感を解消するための摩擦板が設けられているので、厚さ寸法が大きくなっていた。
【０００５】
本発明は、このような実状を考慮してなされたもので、操作感触としてのざらつき感の解消と、薄型化とを実現できるスライド型可変抵抗器を提供することにある。
【課題を解決するための手段】
【０００６】
〔１〕  本発明は、前述の目的を達成するために、長孔が形成された板部を有するケースと、このケース内において前記長孔の長手方向へスライド可能に設けられる移動部材と、この移動部材に設けられる摺動子と、この摺動子が摺動する抵抗体および集電体が設けられ前記移動部材を介して前記ケースに対向配置される絶縁基板と、前記移動部材に設けられ前記長孔から突出するレバーと、前記ケースの板部と前記移動部材との間に配置され前記移動部材とともにスライドする摺動部材と、前記移動部材側から弾性力により前記摺動部材を前記板部側に付勢する付勢手段とを備え、前記摺動部材と前記板部との間に、グリースを設け、前記摺動部材に、前記グリースを保持するグリース溜め部を形成したことを特徴とする。
【０００７】
このように構成した本発明では、ケースの板部と摺動部材との間にグリースを設けるので、ケースの板部の表面粗さによる操作感触としてのざらつき感を解消することができる。また、摺動部材にグリース溜め部を設けてグリースを保持するので、板部と摺動部材との間から押し退けられるグリースの量を低減でき、長期間に渡ってざらつき感のない良好な操作感触を維持することができる。また、ケースの板部と摺動部材との間にざらつき感を防止する部材を必要としないので、ケースの薄型化を実現できる。
【０００８】
〔２〕  本発明は、〔１〕記載の発明において、前記グリース溜め部を、前記長孔の短手方向における前記レバーの両側方に位置する前記摺動部材に設けたことを特徴とする。
【０００９】
このように構成した本発明は、長孔の短手方向におけるレバーの両側方に位置するグリース溜め部によってバランスよくグリースを保持することができるので、移動部材のスライド移動を安定させることができる。
【００１０】
〔３〕  本発明は、〔１〕または〔２〕記載の発明において、前記グリース溜め部が、前記摺動部材に形成された貫通孔からなることを特徴とする。
【００１１】
このように構成した本発明は、貫通孔にグリースを保持することができるので、長期間に渡って良好な操作感触を維持することができる。
【００１２】
〔４〕  本発明は、〔３〕記載の発明において、前記貫通孔が、前記長孔の長手方向に沿って延びる長孔からなることを特徴とする。
【００１３】
このように構成した本発明は、グリース溜め部である長孔に多くの量のグリースを保持させておくことができるので、いっそう長期に渡って、良好な操作感触を得ることができる。
【００１４】
〔５〕  本発明は、〔３〕記載の発明において、前記貫通孔を、前記長孔の長手方向に沿って複数並べたことを特徴とする。
【００１５】
〔６〕  本発明は、〔１〕〜〔５〕のいずれか１に記載の発明において、前記付勢手段が、前記移動部材に形成された弾性変形可能な弾性腕部からなることを特徴とする。
【００１６】
このように構成した本発明は、付勢段を移動部材に形成したので、部品点数を削減できるとともに、組立性を向上させることができる。
【００１７】
〔７〕  本発明は、〔６〕記載の発明において、前記弾性腕部を複数形成し、前記グリース溜め部の外側において前記摺動部材に弾接させたことを特徴とする。
【００１８】
このように構成した本発明は、グリース溜め部の外側において弾性腕部により摺動部材をケースの板部に押し付けてあるので、グリース溜め部からのグリースの漏れを抑制でき、長期間に渡って摺動部材と板部の間にグリースを保持することができる。
【発明の効果】
【００１９】
本発明によれば、ケースの板部と摺動部材との間にグリースを設けるので、ケースの板部の表面粗さによる操作感触としてのざらつき感を解消することができる。また、摺動部材のグリース溜め部によりグリースを保持するので、板部と摺動部材との間から押し退けられるグリースの量を低減でき、長期間に渡ってざらつき感のない良好な操作感触を維持することができる。また、ケースの板部と摺動部材との間にざらつき感を防止するための部材を必要としないので、薄型化に貢献できる。
【発明を実施するための最良の形態】
【００２０】
本発明のスライド型可変抵抗器の一実施形態を図１〜１６を用いて説明する。図１は、本発明のスライド型可変抵抗器の一実施形態を示す分解斜視図、図２は、本発明の一実施形態の正面図、図３は、図２に示す実施形態の平面図、図４は、図３のIV−IV断面図、図５は、図３のV−V断面図、図６は、図１に示す移動部材の拡大正面図、図７は、図６に示す移動部材の平面図、図８は、図６に示す移動部材の裏面図、図９は、図６に示す移動部材の側面図、図１０は、図１に示す絶縁基板の平面図、図１１は、図９に示すレバーの埋設部を示す移動部材の部分断面図、図１２は、図１に示す摺動部材の平面図、図１３は、移動部材に摺動部材を装着する過程を示す移動部材の一部を切欠いた説明図、図１４は、図７のXIV−XIVにおける部分断面図、図１５は、ケースの板部と移動部材の間に配置された摺動部材が弾性腕部により付勢されている状態を示す移動部材の一部を切欠いた説明図、図１６は、図１５に示す状態からケースの板部を取除いた状態を示す平面図である。
【００２１】
図１に示すように、本実施形態は、長孔３が形成された板部２を有する金属製のケース１と、金属製のレバー１８が設けられ、ケース１内において長孔３の長手方向へスライド可能に設けられる合成樹脂製の移動部材２４と、移動部材２４と板部２の間に配置され、移動部材２４とともにスライドする合成樹脂製の摺動部材１２と、移動部材２４が摺動する絶縁基板４９と、絶縁基板４９の下面を覆う金属板材からなるカバー６５を備えている。
【００２２】
移動部材２４に設けられるレバー１８は、図２に示すように、ケース１の長孔３から突出させてある。また、図３に示すように、長孔３は、ケース１の板部２の中央に形成してあり、ケース１の長手方向に沿って延ばしてある。
【００２３】
図４，５，８，９に示すように、前記移動部材２４の下部（摺動子取付面２４ａ）には、前記絶縁基板４９上を摺動する摺動子４７を設けてある。絶縁基板４９には、図１０に示すように、摺動子４７が摺動する集電体５０および抵抗体５１を設けてある。集電体５０は、銀パターン上にカーボンパターンを印刷してなる。抵抗体５１は、カーボンパターンのみからなる。
【００２４】
また、移動部材２４の下部（摺動子取付面２４ａ）には、図５，６，８，９に示すように、長孔３の短手方向に前記摺動子４７と並んで位置し、摺動子４７と同様に構成されたダミー摺動子４８を設けてある。このダミー摺動子４８は、摺動子４７のみを設けた場合には移動部材２４に作用する力が偏るので、その力の偏りが生じないようにするために設けてある。絶縁基板４９には、図１０に示すように、カーボンパターンからなりダミー摺動子４８の摺動による絶縁基板４９の磨耗を防止する保護体５２を設けてある。
【００２５】
また、図４〜６，８，９に示すように、絶縁基板４９に対向する移動部材２４の部分（下部）には、絶縁基板４９に摺接する摺接突出部３７〜４２を形成してある。つまり、摺接突出部３７〜４２によって、移動部材２４の下側に設けられた摺動子取付面２４ａと絶縁基板４９との間隔を適切に確保し、摺動子４７，４８の不所望な変形を防止している。
【００２６】
また、図４に示すように、前記レバー１８は、移動部材２４に立設される頚部１９と、この頚部１９の先端側である終端（図２の上端）に形成され、長孔３の長手方向の長さ寸法が頚部１９よりも大きな頭部２０と、移動部材２４に埋設される埋設部２３（図１１参照）とを有する。このレバー１８は、金属材からなる板状の部材である。頭部２０と頚部１９とにより形成されるレバー１８部分の正面視形状は、Ｔ字状にしてある。また、頭部２０の厚さ方向における一方の面には、図５，１１に示すように、凸部２１，２２を形成してある。こられの凸部２１，２２には、レバー１８を操作しやすくするための図示しないつまみが嵌合する。
【００２７】
レバー１８の埋設部２３は、移動部材２４にインサート成形により埋設してある。この埋設部２３の正面視形状は、図示しないが、移動部材２４の内部において頚部１９の始端側が上底となる台形状である。頚部１９の始端の周囲に位置する移動部材２４部分には、図６に示すように、埋設部２３を抜け止めするために埋設部２３の上部を覆う突出部からなる抜止め突部２５，２６を形成してある。
【００２８】
また、図１，１２に示すように、前記摺動部材１２は、フィルム材を打ち抜き加工してなる板状の部材からなり、レバー１８を挿入可能な挿入孔１３を形成してある。この挿入孔１３は、摺動部材１２の中央に形成され、長孔３の長手方向に沿って延びる長孔からなる。この挿入孔１３の長手方向の寸法は、頭部２０よりも小さく、頚部１９のよりも大きな寸法であって、図１３に示すように、挿入孔１３の長手方向における一方の内縁部を、頭部２０の付根（頚部１９とのつながり部分）に位置させて、頭部２０に対して傾けた状態で頭部２０を挿入可能な長さ寸法に設定してある。
【００２９】
また、摺動部材１２および移動部材２４には、長孔３の長手方向への摺動部材１２と移動部材２４との相対的な移動を阻止する位置決め手段（位置決め部）を設けてある。この位置決め手段は、移動部材２４の所定箇所、例えば、頚部１９の始端の周囲に形成される前記抜止め突部２５，２６と、前記挿入孔１３とから構成してある。挿入孔１３は、凸部１３ａを設けて図１６に示すように、レバー１８の頚部１９を挿入したときに、前記凸部１３ａを、抜止め凸部２５，２６によって形成される凹部に係合可能、例えば嵌合可能な寸法および形状に形成してある。なお、挿入孔１３に凹部を設け、抜止め突部２５，２６側に凸部を設け、これらを係合させることにより、前記位置決め手段を構成してもよい。
【００３０】
また、長孔３の長手方向における摺動部材１２の両側部のそれぞれには、摺動部材１２が後述するケース１に設けた取付部１０，１１に重なる位置までスライドすることを許容する凹部１６，１７を形成してある。
【００３１】
また、摺動部材１２とケース１の板部２との間には、図示しないがグリースを設けてある。摺動部材１２には、グリースを保持するグリース溜め部１４，１５を設けてある。このグリース溜め部１４，１５は、例えば長孔３の長手方向に延びる貫通孔からなり、長孔３の短手方向におけるレバー１８の両側方に、１本ずつ配置されるように、前記摺動部材１２に形成されている。
【００３２】
また、図７に示すように、長孔３の長手方向における移動部材２４の一方の側部、すなわち右側部には、弾性腕部２７，２８を形成してあり、他方の側部、すなわち左側部には、弾性腕部２９，３０を形成してある。これらの弾性腕部２７〜３０は、図１４，１５に示す弾性腕部２７，３０のように、板部２に対して離れる方向（下方向）へ撓む弾性変形可能な板ばね状の部分からなる。弾性腕部２７〜３０のそれぞれの自由端には、摺動部材１２に接触する弾接突起部２７ａ〜３０ａのそれぞれを形成してある。また、図４，１５，１６等において、弾性腕部２７，２８は、移動部材２４の上部から長孔３の長手方向に沿って右方向に延設してあり、弾性腕部２９，３０は、移動部材２４の上部から長手方向に沿って左方向に延設してある。そして、弾性突起部２７ａ〜３０ａが、摺動部材１２の貫通孔（長孔）からなるグリース溜め部１４，１５の外側と当接し、これら４箇所の当接位置で、弾性腕部２７〜３０のそれぞれの弾性力によって、摺動部材１２をケース１の板部２側（内面側）へ付勢している（図１５，１６参照）。
【００３３】
また、図７，１６に示すように、移動部材２４の右側部には、前記弾性腕部２７，２８とは別の弾性腕部４３，４４を形成してある。同様に、移動部材２４の左側部にも、前記弾性腕部２９，３０とは別の弾性腕部４５，４６を形成してある。図７，１６等において、別の弾性腕部４３，４４は、弾性腕部２７，２８と同じく右方向に延設してある。別の弾性腕部４５，４６は、弾性腕部２９，３０と同じく左方向に延設してある。図１，１６に示すように、別の弾性腕部４３の弾接突起部４３ａおよび別の弾性腕部４５の弾接突起部４５ａのそれぞれは、長孔３の短手方向において対向するケース１の前後両側部（側壁）の一方、すなわち前側部（前側壁）１ｃの内面に弾接させてある。別の弾性腕部４４の弾接突起部４４ａおよび別の弾性腕部４６の弾接突起部４６ａのそれぞれは、ケース１の後側部（後側壁）１ｄの内面に弾接させてある。すなわち、別の弾性腕部４３〜４６は、弾性腕部２７〜３０が弾性変形する方向とは直交する方向に弾性変形可能となっている。
【００３４】
また、図４，７，１６に示すように、移動部材２４の右側部には、長孔３の長手方向におけるケース１の右側部（右側壁）１ａの内面に当接して、移動部材２４の右方向へのスライド移動を阻止するストッパ３１，３２を形成してある。同様に、移動部材２４の左側部には、ケース１の左側部（左側壁）１ｂの内面に当接して移動部材２４の左方向へのスライド移動を阻止するストッパ３３，３４を形成してある。ストッパ３１，３２は、弾性腕部２７，２８および別の弾性腕部４３，４４よりもケース１の右側部１ａ側に長く形成してある。ストッパ３３，３４は、弾性腕部２９，３０および別の弾性腕部４５，４６よりもケース１の左側部１ｂ側に長く形成してある。
【００３５】
また、長孔３の長手方向におけるケース１の板部２の右側部および左側部それぞれには、ケース１を図示しない他の機材に取り付けるための取付部１０，１１を設けてある。これらの取付部１０，１１は、例えば、他の機材に螺合する図示しないねじが挿入される貫通孔からなる。弾性腕部２７およびストッパ３１と、弾性腕部２８およびストッパ３２とは、ストッパ３１，３２がケース１の右側部１ａに当接した状態を板部２側から見たときに、図１６に示すように取付部１０を挟んで位置するように設定してある。つまり、移動部材２４の右側部には、移動部材２４が取付部１０と重なる位置までスライドすることを許容する凹部３５を形成してある。同様に、移動部材２４の左側部にも、移動部材２４が取付部１１と重なる位置までスライドすることを許容する凹部３６を形成してある。
【００３６】
また、図１に示すように、ケース１の前側部１ｃの下部には、先端が２つに割れた４つの二股脚部４〜７と、先端が割れていない２つの脚部８，９とを形成してある。同様に、ケース１の後側部１ｄの下部にも、先端が２つに割れた４つの二股脚部と、先端が割れていない２つの脚部とを形成してある（図示しない）。絶縁基板４９の短手方向における縁部の１２には、二股脚部４〜７等が挿入される８つの切欠き５３〜６０と、脚部８，９等が挿入される４つの切欠き６１〜６４とを形成してある。カバー６５の縁部には、二股脚部４〜７等が挿入される８つの孔６６〜７３と、脚部８，９等が挿入される４つの切欠き７４〜７７とを形成してある。
【００３７】
つまり、図２に示すように、絶縁基板４９の切欠き５３〜６４のそれぞれに挿入したケース１の二股脚部４〜７等および脚部８，９等のそれぞれを、カバー６５の孔６６〜７３および切欠き７４〜７７のそれぞれに挿入した状態で、二股脚部４〜７等のそれぞれの先端を広げることによって、絶縁基板４９およびカバー６５をケース１に取り付けてある。この状態では、絶縁基板４９は、ケース１内にスライド可能に収納された移動部材２４を介して、すなわち、移動部材２４を挟んで、ケース１（板部２）と対向配置された状態となっている。
【００３８】
また、カバー６５には、図示しないプリント基板に取り付けるための２つの取付脚部７８，７９を形成してある。
【００３９】
このように構成した実施形態では、図示しないつまみを介してレバー１８が操作され、これに伴って移動部材２４がスライドすると、摺動子４７が集電体５０および抵抗体５１上を摺動し、これにより、電気抵抗が変化する。
【００４０】
移動部材２４のストッパ３１，３２が、図２，４，１６等において、ケース１の右側部１ａと当接すると、移動部材２４の右方向への移動が阻止され、移動部材２４のストッパ３３，３４がケース１の左側部１ｂに当接すると、移動部材２４の左方向への移動が阻止される。
【００４１】
移動部材２４のスライド移動中には、弾性腕部２７〜３０によって摺動部材１２がケース１の板部２に押し付けられることに伴う摩擦力と、別の弾性腕部４３，４５がケース１の前側部１ｃに弾接することによる摩擦力と、別の弾性腕部４４，４６がケース１の後側部１ｄに弾接することによる摩擦力とが、レバー１８の操作感触としての重みとなる。また、摺動部材１２と板部２との間に設けられたグリースによって、板部２の表面粗さによる操作感触としてのざらつき感が解消される。これらの結果、レバー１８の作動力が重くて、高級感のある操作感触が得られるものとなっている。
【００４２】
本実施形態によれば、次の効果を得られる。
【００４３】
本実施形態では、ケース１の板部２と摺動部材１２との間にグリースを設けたので、板部２の表面粗さによる操作感触としてのざらつき感を解消することができる。また、摺動部材１２にグリース溜め部１４，１５を設けてグリースを保持するので、板部２と摺動部材１２との間から押し退けられるグリースの量を低減でき、長期間に渡ってざらつき感のない良好な操作感触を維持することができる。また、板部２と摺動部材１２との間にざらつき感を防止するための部材を必要としないので、ケース１の薄型化を実現できる。
【００４４】
また、本実施形態では、摺動部材１２に形成した長孔（貫通孔）からなるグリース溜め部１４，１５を、長孔３の短手方向におけるレバー１８の両側方に配置したので、長孔３の短手方向におけるレバー１８の両側方に、バランスよくグリースを保持することができる。これにより、移動部材２４のスライド移動を安定させることができる。
【００４５】
また、グリース溜め部１４，１５を貫通孔としたので、この貫通孔内にグリースを保持することができる。これにより、長期間に渡って良好な操作感触を得ることができる。
【００４６】
また、本実施形態では、長孔３の短手方向におけるレバー１８の両側方のそれぞれに配置されるグリース溜め部１４，１５が１本ずつなので、摺動部材１２を成形する金型の形状が簡単であり、グリース溜め部を有する摺動部材１２を容易に作製できる。また、グリース溜め部１４，１５を長孔としたことから、この長孔に多くの量のグリースを保持させておくことができる。これにより、さらに長期間に渡って、高級感のある良好な操作感触を維持することができる。
【００４７】
また、本実施形態では、移動部材２４側から摺動部材１２に接触して弾性力により摺動部材１２を板部２側に付勢する付勢手段が、移動部材２４に形成された弾性腕部２７〜３０からなるので、ケース１の板部２と移動部材２４との間の部品点数を削減でき、組立性を向上させることができる。
【００４８】
また、本実施形態では、グリース溜め部１４，１５の外側において弾性腕部２７〜３０により摺動部材１２をケース１の板部２に押し付けてあるので、グリース溜め部１４，１５からのグリースの漏れを抑制でき、長期間に渡って摺動部材１２と板部２との間にグリースを保持することができる。
【００４９】
なお、本実施形態では、長孔３の短手方向におけるレバー１８の両側方のそれぞれに１本ずつ長孔からなるグリース溜め部１４，１５を配置してあるが、本発明はこれに限るものではない。例えば、図１２に示したグリース溜め部１４，１５よりも細い長孔からなるグリース溜め部を、長孔３の短手方向に複数本並べて配置してもよい。また、例えば図１７に示すように、切欠きからなるグリース溜め部８０，８１でもよい。また、例えば図１８に示すように、長孔３の短手方向に延びる小さな貫通孔からなる複数のグリース溜め部８２を、長孔３の長手方向に沿って複数並べてもよい。これらのグリース溜め部のように形状、大きさ、数を変更することによって、操作感触としての重み（作動力）を増減させることができる。
【００５０】
また、本実施形態では、グリース溜め部が貫通孔からなるが、本発明はこれに限らず、凹部からなるものでもよい。
【００５１】
また、本実施形態では、摺動部材１２の挿入孔１３が、長孔３の長手方向に沿って延びる直線状の長孔からなるが、本発明はこれに限るものではない。例えば、長孔３の長手方向に交差する方向に長くレバー１８の頭部２０を挿入可能な貫通孔８６と、長孔３の長手方向に沿って形成され長さ寸法が頭部２０よりも小さく頚部１９よりも大きな貫通孔８７とを交差させてなる挿入孔８５でもよい。この挿入孔８５が形成された摺動部材１２を移動部材２４に装着する場合、摺動部材１２の貫通孔８６を頭部２０に挿入した後、摺動部材１２を移動部材２４と平行にして抜止め突部２５，２６に嵌合させる。このように構成したものでは、貫通孔８６をグリース溜め部として機能させることができる。
【図面の簡単な説明】
【００５２】
【図１】本発明のスライド型可変抵抗器の一実施形態を示す分解斜視図である。
【図２】本発明の一実施形態の正面図である。
【図３】図２に示す実施形態の平面図である。
【図４】図３のIV−IV断面図である。
【図５】図３のV−V断面図である。
【図６】図１に示す移動部材の拡大正面図である。
【図７】図６に示す移動部材の平面図である。
【図８】図６に示す移動部材の裏面図である。
【図９】図６に示す移動部材の側面図である。
【図１０】図１に示す絶縁基板の平面図である。
【図１１】図９に示すレバーの埋設部を示す移動部材の部分断面図である。
【図１２】図１に示す摺動部材の平面図である。
【図１３】移動部材に摺動部材を装着する過程を示す移動部材の一部を切欠いた説明図である。
【図１４】図７のXIV−XIVにおける部分断面図である。
【図１５】ケースの板部と移動部材の間に配置された摺動部材が弾性腕部により付勢されている状態を示す移動部材の一部を切欠いた説明図である。
【図１６】図１５に示す状態からケースの板部を取除いた状態を示す平面図である。
【図１７】図１２に示すグリース溜め部とは別のグリース溜め部の一例を示す摺動部材の平面図である。
【図１８】図１２に示すグリース溜め部とは別のグリース溜め部の一例を示す摺動部材の平面図である。
【図１９】図１２に示す挿入孔とは別の挿入孔の一例を示す摺動部材の平面図である。
【符号の説明】
【００５３】
１              ケース
１ａ            右側部
１ｂ            左側部
１ｃ            前側部
１ｄ            後側部
２              板部
３              長孔
４〜７          二股脚部
８，９          脚部
１０，１１      取付部
１２            摺動部材
１３            挿入孔
１３ａ          凸部
１４，１５      グリース溜め部（貫通孔、長孔）
１６，１７      凹部
１８            レバー
１９            頚部
２０            頭部
２１，２２      凸部
２３            埋設部
２４            移動部材
２５，２６      抜止め突部
２７〜３０      弾性腕部
２７ａ〜３０ａ  弾接突起部
３１〜３４      ストッパ
３５，３６      凹部
３７〜４２      摺接突出部
４３〜４６      別の弾性腕部
４７            摺動子
４８            ダミー摺動子
４９            絶縁基板
５０            集電体
５１            抵抗体
５２            保護体
５３〜６４      切欠き
６５            カバー
６６〜７３      孔
７４〜７７      切欠き
７８，７９      取付脚部
８０，８１      グリース溜め部
８２            グリース溜め部
８５            挿入孔
８６            貫通孔
８７            貫通孔
【図１】
2006173467.tif 000003
【図２】
2006173467.tif 000004
【図３】
2006173467.tif 000005
【図４】
2006173467.tif 000006
【図５】
2006173467.tif 000007
【図６】
2006173467.tif 000008
【図７】
2006173467.tif 000009
【図８】
2006173467.tif 000010
【図９】
2006173467.tif 000011
【図１０】
2006173467.tif 000012
【図１１】
2006173467.tif 000013
【図１２】
2006173467.tif 000014
【図１３】
2006173467.tif 000015
【図１４】
2006173467.tif 000016
【図１５】
2006173467.tif 000017
【図１６】
2006173467.tif 000018
【図１７】
2006173467.tif 000019
【図１８】
2006173467.tif 000020
【図１９】
2006173467.tif 000021